【手続補正書】
【提出日】平成18年1月19日(2006.1.19)
【手続補正１】
【補正対象書類名】明細書
【補正対象項目名】特許請求の範囲
【補正方法】変更
【補正の内容】
【特許請求の範囲】
【請求項１】
コンピュータからのコマンドに応答して動作するストレージ装置であって、
前記コンピュータから送信されるデータを記憶するための記憶領域と、
前記記憶領域内の第１の記憶領域に前記記憶領域内の第２の記憶領域を対応付けるように制御するための第１のコマンドと、前記第１の記憶領域と前記第２の記憶領域との前記対応付けの解消を制御するための第２のコマンドとに応答して動作する制御部と
を備え、
前記制御部は、
前記第１の記憶領域に前記第２の記憶領域を対応付けた状態で、前記第２の記憶領域に対して読み出し命令がされたときに、前記第２の記憶領域が対応するデータを保有していない場合には、前記読み出し命令に応答して、前記第１の記憶領域から前記第２の記憶領域への対応する前記データの複写を許容するように制御する
ことを特徴とするストレージ装置。
【請求項２】
請求項１のストレージ装置において、
前記制御部は、
前記第１の記憶領域からデータを読み出し、該読み出したデータを前記コンピュータへ出力した後に、前記読み出したデータを前記第２の記憶領域への書き込むように制御する
ことを特徴とするストレージ装置。
【請求項３】
請求項１のストレージ装置において、
前記制御部は、
前記第１の記憶領域から前記第２の記憶領域へ複写したデータがある場合、該第２の記憶領域の対応するデータを無意にするように制御する
ストレージ装置。
【請求項４】
請求項１のストレージ装置において、
前記制御部は、
前記第１の記憶領域に前記第２の記憶領域を対応付けた状態で、前記第２の記憶領域に対して書き込み命令がされたときに、前記第２の記憶領域が対応するデータを保有していない場合には、さらに前記書き込み命令に応答して、前記第１の記憶領域から前記第２の記憶領域への対応する前記データの複写を許容するように制御する
ことを特徴とするストレージ装置。
【請求項５】
請求項４のストレージ装置において、
前記制御部は、
前記第２の記憶領域へ複写されたデータの上に、前記書き込み命令で指示されたデータを書き込むように制御する
ことを特徴とするストレージ装置。
【請求項６】
請求項５のストレージ装置において、
前記制御部は、
前記第２のコマンドに応答して、前記第２の記憶領域に書き込まれた、前記書き込み命令で指示されたデータの前記第１の記憶領域への複写を制御する
ことを特徴とするストレージ装置。
【請求項７】
請求項４のストレージ装置において、
前記制御部は、
前記第２のコマンドに応答して、前記第２の記憶領域に前記第１の記憶領域からのデータが複写されていない領域に、前記第１の記憶領域からのデータの複写を制御する
ことを特徴とするストレージ装置。
【請求項８】
請求項１のストレージ装置において、
前記制御部は、
前記第２のコマンドに応答して、前記第２の記憶領域に前記第１の記憶領域からのデータが複写されていない領域に、前記第１の記憶領域からのデータの複写を制御する
ことを特徴とするストレージ装置。
【請求項９】
請求項１のストレージ装置において、
前記制御部は、
前記第１のコマンドに応答して、前記第１の記憶領域と前記第２の記憶領域との対応付けを管理するための管理情報を生成し、前記第２のコマンドに応答して、前記管理情報を解放する
ことを特徴とするストレージ装置。
【請求項１０】
請求項１のストレージ装置において、
前記制御部は、
前記第２の記憶領域に前記第１の記憶領域からのデータが複写されていない領域に、前記第１の記憶領域からのデータを複写して、前記第１の記憶領域と前記第２の記憶領域との前記対応付けの解消を制御するための第３のコマンドとに応答して動作する
ことを特徴とするストレージ装置。
【請求項１１】
請求項１０のストレージ装置において、
前記制御部は、
前記コンピュータから選択的に発行される前記第２のコマンドと前記第３のコマンドとに応答する
ことを特徴とするストレージ装置。
【請求項１２】
コンピュータから送信されるデータを記憶するための記憶領域を有し、前記コンピュータからのコマンドに応答して動作するストレージ装置の管理方法であって、
前記コンピュータから送信される第１のコマンドに応答して、前記記憶領域内の第１の記憶領域に前記記憶領域内の第２の記憶領域を対応付ける第１のステップと、
前記コンピュータから送信される第２のコマンドに応答して、前記第１の記憶領域と前記第２の記憶領域との前記対応付けを解消する第２のステップと
を備え、
前記第１のステップでは、
前記第２の記憶領域に対して読み出し命令がされたときに、前記第２の記憶領域が対応するデータを保有していない場合には、前記読み出し命令に応答して、前記第１の記憶領域から前記第２の記憶領域に対応する前記データを複写する
ことを特徴とするストレージ装置の管理方法。
【請求項１３】
コンピュータから送信されるデータを記憶するためのプライマリボリューム及びセカンダリボリュームを有し、前記コンピュータからのコマンドに応答して動作するストレージ装置であって、
前記コンピュータから送信される所定のコマンドに応答して、前記プライマリボリュームに前記セカンダリボリュームを対応付けた状態に遷移させる状態遷移部と、
前記状態遷移部により前記プライマリボリュームに前記セカンダリボリュームを対応付けた状態において、前記コンピュータからプライマリボリューム又はセカンダリボリュームへの読出し命令又は書き出し命令に応じた前記プライマリボリューム又は前記セカンダリボリュームのデータの保有状態を管理する管理部と、
前記セカンダリボリュームに対して前記読み出し命令がされたときに、前記管理部において前記セカンダリボリュームが対応するデータを保有していないと管理されている場合には、前記読み出し命令に応答して、前記プライマリボリュームから前記セカンダリボリュームへの対応する前記データの複写を許容するように制御する制御部と
を備えることを特徴とするストレージ装置。
【手続補正２】
【補正対象書類名】明細書
【補正対象項目名】００１２
【補正方法】変更
【補正の内容】
【００１２】
【課題を解決するための手段】
上記課題を解決するために、本発明では、アクセスすべきデータの所在を示す論理スナップショット管理表を設け、論理的な凍結イメージ（スナップショット）の即時使用が可能な状態へ、単一のコマンドにより遷移することを可能とする。
すなわち、本発明では、コンピュータからのコマンドに応答して動作するストレージ装置であって、前記コンピュータから送信されるデータを記憶するための記憶領域と、前記記憶領域内の第１の記憶領域に前記記憶領域内の第２の記憶領域を対応付けるように制御するための第１のコマンドと、前記第１の記憶領域と前記第２の記憶領域との前記対応付けの解消を制御するための第２のコマンドとに応答して動作する制御部とを備え、前記制御部は、前記第１の記憶領域に前記第２の記憶領域を対応付けた状態で、前記第２の記憶領域に対して読み出し命令がされたときに、前記第２の記憶領域が対応するデータを保有していない場合には、前記読み出し命令に応答して、前記第１の記憶領域から前記第２の記憶領域への前記データの複写を許容するように制御する。
また、本発明では、コンピュータから送信されるデータを記憶するための記憶領域を有し、前記コンピュータからのコマンドに応答して動作するストレージ装置の管理方法であって、前記コンピュータから送信される第１のコマンドに応答して、前記記憶領域内の第１の記憶領域に前記記憶領域内の第２の記憶領域を対応付ける第１のステップと、前記コンピュータから送信される第２のコマンドに応答して、前記第１の記憶領域と前記第２の記憶領域との前記対応付けを解消する第２のステップとを備え、前記第１のステップでは、前記第２の記憶領域に対して読み出し命令がされたときに、前記第２の記憶領域が対応するデータを保有していない場合には、前記読み出し命令に応答して、前記第１の記憶領域から前記第２の記憶領域に対応する前記データを複写する。
さらに、本発明では、コンピュータから送信されるデータを記憶するためのプライマリボリューム及びセカンダリボリュームを有し、前記コンピュータからのコマンドに応答して動作するストレージ装置であって、前記コンピュータから送信される所定のコマンドに応答して、前記プライマリボリュームに前記セカンダリボリュームを対応付けた状態に遷移させる状態遷移部と、前記状態遷移部により前記プライマリボリュームに前記セカンダリボリュームを対応付けた状態において、前記コンピュータからプライマリボリューム又はセカンダリボリュームへの読出し命令又は書き出し命令に応じた前記プライマリボリューム又は前記セカンダリボリュームのデータの保有状態を管理する管理部と、前記セカンダリボリュームに対して前記読み出し命令がされたときに、前記管理部において前記セカンダリボリュームが対応するデータを保有していないと管理されている場合には、前記読み出し命令に応答して、前記プライマリボリュームから前記セカンダリボリュームへの対応する前記データの複写を許容するように制御する制御部とを備える。